(57)【特許請求の範囲】
【請求項１】
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも湿分分離加熱器の加熱器に導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、弁閉止信号を前記加熱器の加熱蒸気元弁に出力する回路と、
をさらに備えることを特徴とする原子力発電プラントのタービン補機制御装置。
【請求項２】
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも原子炉給水ポンプ駆動用蒸気タービンに導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、原子炉給水ポンプ駆動用蒸気タービントリップ信号を前記原子炉給水ポンプ駆動用蒸気タービンのトリップ用ソレノイドに出力する回路と、
をさらに備えることを特徴とする原子力発電プラントのタービン補機制御装置。
【請求項３】
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも空気抽出器に導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、空気抽出器停止信号を前記空気抽出器の空気抽出器停止回路に出力する回路と、
をさらに備えることを特徴とする原子力発電プラントのタービン補機制御装置。
【請求項４】
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも湿分分離加熱器の加熱器に導くように構成した原子力発電プラントにおいて、
前記加熱器の加熱蒸気元弁よりも上流の該蒸気系統に設けられ、空気式駆動部を有する加熱蒸気遮断弁と、
前記主蒸気隔離弁が閉止したとき隔離弁閉止信号を出力する動作検出手段と、
この動作検出手段から前記隔離弁閉止信号が与えられたとき、弁閉止信号を前記加熱蒸気遮断弁の該空気式駆動部に出力する回路と、
をさらに備えることを特徴とする原子力発電プラントのタービン補機制御装置。
【請求項５】
前記加熱器のドレンタンクの実水位信号と設置値とに基づいて前記ドレンタンクの水位調節弁の開度を決める信号を出力する水位調節器と、
前記水位調節弁の開度を全開に保持する信号を出力する開度設定器と、
前記加熱器の加熱蒸気元弁が閉止したとき、加熱蒸気元弁閉止信号を出力する第２の動作検出手段と、
この第２の動作検出手段から加熱蒸気元弁閉止信号が与えられたとき、前記水位調節弁への開度信号を前記水位調節器から前記開度設定器に切換える手段と、
をさらに備えることを特徴とする請求項１記載の原子力発電プラントのタービン補機制御装置。
【発明の詳細な説明】
【０００１】
【発明の属する技術分野】
本発明は原子力発電プラントのタービン補機制御装置に関する。
【０００２】
【従来の技術】
原子力発電プラントの主蒸気および補助蒸気系統を図８を参照して説明する。原子炉１で発生した蒸気は主蒸気隔離弁２、主蒸気止め弁３および蒸気加減弁４を経て高圧蒸気タービン５に、さらに湿分分離加熱器６を経て低圧蒸気タービン７に導かれる。この蒸気は高圧蒸気タービン５および低圧蒸気タービン７内で膨張を遂げ、このとき発電機８が駆動されて電気出力が得られる。
【０００３】
この高圧蒸気タービン５および低圧蒸気タービン７では蒸気タービン制御装置（図示せず）により蒸気加減弁４およびタービンバイパス弁９の開度を調節してタービン速度およびタービン入口圧力の制御が行われる。このため、タービン速度を検出する速度検出器１０と、タービン入口圧力を検出する圧力検出器１１とが備えられる。ちなみに、新型炉ではタービン入口圧力の代わりに圧力検出器１２で原子炉ドーム圧力を検出して蒸気加減弁４およびタービンバイパス弁９の開度を調節してタービン速度およびタービン入口圧力の制御が行われる。
【０００４】
また、主蒸気系統からは湿分分離加熱器６に加熱蒸気を供給する加熱蒸気系統、タービングランド蒸気蒸化器１３に加熱蒸気を供給する加熱蒸気系統、原子炉給水ポンプ駆動用蒸気タービン１４に駆動蒸気を供給する蒸気系統、空気抽出器１５に駆動蒸気を供給する蒸気系統がそれぞれ分岐している。
【０００５】
高圧蒸気タービン５と低圧蒸気タービン７との間に設けられる湿分分離加熱器６には高圧蒸気タービン５の抽気を熱源として用いる第１段加熱器１６と、主蒸気系統の主蒸気を熱源として用いる第２段加熱器１７とが備えられ、高圧蒸気タービン５の排気を加熱して低圧蒸気タービン７に導くようになっている。このうち、第２段加熱器１７の加熱蒸気系統にはプラント出力に応じて変化する抽気を使用した第１段加熱器１６の加熱蒸気に対し圧力一定の主蒸気を使用しているために加熱蒸気元弁１８と、圧力調節弁１９およびプラントの高負荷域で圧力調節弁１９の圧力損失を低減するために全開で使用する圧力調節弁バイパス弁２０とが備えられる。また、第１段加熱器１６の抽気系統には加熱蒸気元弁２１が備えられる。なお、図中符号２２は原子炉格納容器を、また符号２３は復水器を示している。
【０００６】
【発明が解決しようとする課題】
ところで、原子炉格納容器２２の内側ないし外側で何らかの事故が発生し、主蒸気隔離弁２が閉止されたとき、主蒸気系統内に主蒸気が残される。この残留蒸気は一部が第２段加熱器１７に流れ、残りがタービングランド蒸気蒸化器１３等に流れる。このとき、高圧蒸気タービン５および低圧蒸気タービン７は主蒸気の喪失により回転速度は降下して行くが、回転を続けており、タービングランド部を封じる蒸気がタービングランド蒸気蒸化器１３から供給されねばならない。
【０００７】
しかし、主蒸気経路内に残された主蒸気はそれ程多くなく、第２段加熱器１７の加熱蒸気として多量に流れてしまうと、タービングランド蒸気蒸化器１３には僅かな量の加熱蒸気しか流れない。供給される加熱蒸気が減少してしまうと、タービングランド蒸気蒸化器１３では必要とする量の蒸気を生成することができなく、タービングランド部には十分な量の蒸気が流れなくなる。このとき、復水器２３と通じている低圧蒸気タービン７内にはタービングランド部を通って外部の空気が多量に流入し、これが復水器２３に流れて復水器２３の真空度が急激に低下してしまう。また、外部の空気の流入により低圧蒸気タービン７内では羽根が空気と触れ、摩擦により羽根の温度が著しく高くなるなどの悪影響が生じる。
【０００８】
そこで、本発明の目的は隔離弁の閉止時、主蒸気系統内の残留蒸気によりタービングランド蒸気蒸化器で必要とする加熱蒸気を確保することのできる原子力発電プラントのタービン補機制御装置を提供することにある。
【０００９】
【課題を解決するための手段】
請求項１に係る発明は、
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも湿分分離加熱器の加熱器に導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、弁閉止信号を前記加熱器の加熱蒸気元弁に出力する回路と、
をさらに備えることを特徴とするものである。
【００１０】
さらに、請求項２に係る発明は、
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも原子炉給水ポンプ駆動用蒸気タービンに導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、原子炉給水ポンプ駆動用蒸気タービントリップ信号を前記原子炉給水ポンプ駆動用蒸気タービンのトリップ用ソレノイドに出力する回路と、
をさらに備えることを特徴とするものである。
【００１１】
また、請求項３に係る発明は、
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも空気抽出器に導くように構成した原子力発電プラントにおいて、
前記主蒸気隔離弁が閉止したとき隔離弁閉止信号を出力する動作検出手段と、
この動作検出手段から前記隔離弁閉止信号が与えられたとき、空気抽出器停止信号を前記空気抽出器の空気抽出器停止回路に出力する回路と、
をさらに備えることを特徴とするものである。
【００１２】
さらに、請求項４に係る発明は、
原子炉から蒸気タービンにかけて結ばれる主蒸気系統に主蒸気隔離弁を備え、
前記原子炉から流れる主蒸気を前記主蒸気系統を通して前記蒸気タービンに導くと共に、前記主蒸気隔離弁の下流側で分岐する蒸気系統を通してタービングランド蒸気蒸化器および少なくとも湿分分離加熱器の加熱器に導くように構成した原子力発電プラントにおいて、
前記加熱器の加熱蒸気元弁よりも上流の該蒸気系統に設けられ、空気式駆動部を有する加熱蒸気遮断弁と、
前記主蒸気隔離弁が閉止したとき隔離弁閉止信号を出力する動作検出手段と、
この動作検出手段から前記隔離弁閉止信号が与えられたとき、弁閉止信号を前記加熱蒸気遮断弁の該空気式駆動部に出力する回路と、
をさらに備えることを特徴とするものである。
【００１３】
また、請求項５に係る発明は、
前記加熱器のドレンタンクの実水位信号と設置値とに基づいて前記ドレンタンクの水位調節弁の開度を決める信号を出力する水位調節器と、
前記水位調節弁の開度を全開に保持する信号を出力する開度設定器と、
前記加熱器の加熱蒸気元弁が閉止したとき、加熱蒸気元弁閉止信号を出力する第２の動作検出手段と、
この動作検出手段から加熱蒸気元弁閉止信号が与えられたとき、前記水位調節弁への開度信号を前記水位調節器から前記開度設定器に切換える手段と、
をさらに備えることを特徴とするものである。
【００１４】
【発明の実施の形態】
以下、本発明の実施の形態を図面を参照して説明する。図１において、モータスイッチ３１による始動信号および動作許可信号がＡＮＤ回路３２の入力端に加えられ、論理積に従い条件が満たされたとき、弁開放信号Ｖ1 が出力される。この弁開放信号Ｖ1 はモータ制御部３３に入力され、その出力により電動式駆動部３４が動作して加熱蒸気元弁１８が開放するように構成されている。
【００１５】
また、スイッチ３１による停止信号、タービン負荷１０％以下のとき出力される弁閉止信号、および主蒸気隔離弁２に設けられた主蒸気隔離弁閉動作検出器３５から与えられる隔離弁閉止信号が隔離弁ＯＲ回路３６の入力端に加えられ、論理和に従い条件が満たされたとき、弁閉止信号Ｖ2 が出力される。この弁閉止信号Ｖ2 はモータ制御部３３に入力され、その出力により電動式駆動部３４が動作して加熱蒸気元弁１８が閉止するように構成されている。
【００１６】
次に、上記構成による動作を説明する。原子炉格納容器２２の内側ないし外側で何らかの事故が発生し、主蒸気隔離弁２が閉止したとき、主蒸気系統内に主蒸気が残される。主蒸気隔離弁２に設けられた主蒸気隔離弁閉動作検出器３５はこの主蒸気隔離弁２が閉止したことを検出し、隔離弁閉止信号をＯＲ回路３６に出力する。隔離弁閉止信号がＯＲ回路３６に入力されると、弁閉止信号Ｖ2 が出力され、モータ制御部３３を介して電動式駆動部３４が加熱蒸気元弁１８を開止する。
【００１７】
かくして、加熱蒸気元弁１８が閉止されるので、主蒸気系統内に残された主蒸気は第２段加熱器１７には向かわず、全量がタービングランド蒸気蒸化器１３等に流れる。タービングランド蒸気蒸化器１３はサイクル蒸気を加熱する第２段加熱器１７と比べて容量は小さく、第２段加熱器１７へ流れる蒸気量で十分必要な量の加熱蒸気を確保することができる。
【００１８】
特に、原子炉ドーム圧力制御機能を有するものでは主蒸気隔離弁２が閉止したとき、蒸気加減弁４が開方向に動作し、残留蒸気の一部が高圧蒸気タービン５に向かうため、加熱蒸気の不足が大きくなる懸念があるが、本実施の形態のものにおいては主蒸気隔離弁２の閉止後も継続して流れる加熱蒸気によりタービングランド蒸気を得ることができ、極めて有用である。
【００１９】
さらに、本発明の他の実施の形態を図２を参照して説明する。スイッチ３７による原子炉給水ポンプ駆動用蒸気タービントリップ信号、ＯＲ回路３８からのタービントリップ信号、主蒸気隔離弁閉動作検出器３５から与えられる隔離弁閉止信号がＯＲ回路３９の入力端に加えられ、論理和に従い条件が満たされたとき、原子炉給水ポンプ駆動用蒸気タービントリップ信号ｖ３  が出力される。この原子炉給水ポンプ駆動用蒸気タービントリップ信号ｖ３  はトリップ用ソレノイド４０に出力され、原子炉給水ポンプ駆動用蒸気タービン１４が停止するように構成されている。
【００２０】
上記構成において、主蒸気隔離弁２が閉止したとき、主蒸気隔離弁閉動作検出器３５がこれを検出し、隔離弁閉止信号をＯＲ回路３９に出力する。隔離弁閉止信号がＯＲ回路３９に入力されると、原子炉給水ポンプ駆動用蒸気タービントリップ信号ｖ３  がトリップ用ソレノイド４０に出力され、ソレノイド４０の励磁により原子炉給水ポンプ駆動用蒸気タービン１４が停止する。
【００２１】
これにより、原子炉給水ポンプ駆動用蒸気タービン１４へ向かう駆動蒸気の流れが止まり、主蒸気系統内に残された主蒸気はタービングランド蒸気蒸化器１３等に流れる。すなわち、原子炉給水ポンプ駆動用蒸気タービン１４へ流れる駆動蒸気がなくなる分、タービングランド蒸気蒸化器１３において加熱蒸気を増すことができる。このように本実施の形態のものにおいても、主蒸気隔離弁２の閉止後も継続して流れる加熱蒸気を用いて必要な量のタービングランド蒸気を得ることが可能である。
【００２２】
また、他の実施の形態を図３を参照して説明する。主蒸気隔離弁閉動作検出器３５から与えられる隔離弁閉止信号は他の停止信号と共にＯＲ回路４１の入力端に加えられ、論理和に従い条件が満たされたとき、空気抽出器停止信号ｖ４  が出力される。この空気抽出器停止信号ｖ４  は空気抽出器停止回路４２に出力され、空気抽出器１５が停止するように構成されている。
【００２３】
上記構成において、主蒸気隔離弁２が閉止したとき、主蒸気隔離弁閉動作検出器３５がこれを検出し、隔離弁閉止信号をＯＲ回路４１に出力する。隔離弁閉止信号がＯＲ回路４１に入力されると、空気抽出器停止信号ｖ４  が空気抽出器停止回路４２に出力され、空気抽出器停止回路４２が働いて空気抽出器１５が停止する。これにより、空気抽出器１５へ向かう駆動蒸気の流れが止まり、主蒸気系統内に残された主蒸気はタービングランド蒸気蒸化器１３等に流れる。
【００２４】
つまり、空気抽出器１５へ流れる駆動蒸気がなくなる分、タービングランド蒸気蒸化器１３において加熱蒸気を増すことができる。このように本実施の形態のものにおいても、上記他の実施の形態と同様に主蒸気隔離弁２の閉止後も継続して流れる加熱蒸気を用いて必要な量のタービングランド蒸気を得ることが可能である。
【００２５】
さらに、他の実施の形態を図４および図５を参照して説明する。図４において、第２段加熱器１７の加熱蒸気系統の加熱蒸気元弁１８の上流側に加熱蒸気遮断弁４３が設けられている。また、本実施の形態においては加熱蒸気遮断弁４３を制御する次の回路が設けられる。図５において、スイッチ４４による始動信号および動作許可信号はアンド回路４５の入力端に加えられ、論理積に従い条件が満たされたとき、弁開放信号ｖ５  が出力される。この弁開放信号ｖ５  は空気式駆動部４６に入力され、空気式駆動部４６の動作により加熱蒸気遮断弁４３が開放するようになっている。
【００２６】
また、スイッチ４４による停止信号および主蒸気隔離弁２に設けられた主蒸気隔離弁閉動作検出器３５から与えられる隔離弁閉止信号はＯＲ回路４７の入力端に加えられ、論理和に従い条件が満たされたとき、弁閉止信号ｖ６  が出力される。この弁閉止信号ｖ６  は空気式駆動部４６に入力され、空気式駆動部４６の動作により加熱蒸気遮断弁４３が閉止するようになっている。
【００２７】
上記構成において、主蒸気隔離弁２が閉止したとき、主蒸気隔離弁閉動作検出器３５がこれを検出し、隔離弁閉止信号をＯＲ回路４７に出力する。隔離弁閉止信号がＯＲ回路４７に入力されると、弁閉止信号ｖ６  が出力され、空気式駆動部４６が加熱蒸気遮断弁４３を開止する。
【００２８】
かくして、本実施の形態においても加熱蒸気遮断弁４３が閉止されるので、主蒸気系統内に残された主蒸気の全量がタービングランド蒸気蒸化器１３等に流れ、タービングランド蒸気蒸化器１３は第２段加熱器１７へ流れる蒸気量で必要な量の加熱蒸気を確保することができる。本実施の形態は空気式駆動部４６を構成することで、動作時間を早めることができ、上記の実施の形態（図１）のものと比較してより多くの加熱蒸気を確保することが可能になる。
【００２９】
このように本実施の形態のものにおいても、主蒸気隔離弁２の閉止後も継続して流れる加熱蒸気を用いて必要な量のタービングランド蒸気を得ることが可能である。
【００３０】
また、他の実施の形態を図６および図７を参照して説明する。図６において、第２段加熱器１７は器内で生じるドレンを回収するドレンタンク４８と結ばれている。このドレンタンク４８には水位調節弁４９が設けられている。この水位調節弁４９はドレン水位を検出する水位検出器５０およびドレン水位を調節する水位調節器５１と結ばれている。
【００３１】
また、本実施の形態においては水位調節弁４９を制御する次の回路が設けられる。図７において、加熱蒸気元弁１８に設けられた加熱蒸気元弁閉動作検出器５２から与えられる加熱蒸気元弁閉止信号が信号切換え器５３に入力される。加熱蒸気元弁閉止信号が入力されると、信号切換え器５３は切換え信号を接点５４に出力し、接点５４が切換わるようになっている。また、開度設定器５５からの全開信号は水位調節器５１から出力される信号と共に接点５４を介して水位調節弁４９に出力されるようになっている。
【００３２】
上記構成による作用を説明する。通常、水位調節弁４９はプラント起動、停止時の配管におけるウオータハンマを防止するために低負荷信号により強制的に全開するようにしているが、加熱蒸気元弁１８が全開するよりも前に水位調節弁４９が全開すると、ドレンタンク４８からドレンが流出し、このとき主蒸気系統から加熱蒸気が第２段加熱器１７に流れる可能性がある。そこで、本実施の形態では水位調節弁４９の全開を遅らせるようにして第２段加熱器１７に流れる加熱蒸気量を制限する。
【００３３】
プラントの運転中は水位調節器５１からの信号で水位調節弁４９を制御するように接点５４が閉路している。このとき、ドレンタンク４８から流出するドレンは水位調節器５１からの開度信号で適正に保たれている。一方、主蒸気隔離弁２が閉止したときに、加熱蒸気元弁１８が全閉される。たとえば、これは上記の実施の形態（図１）の制御により実施する。加熱蒸気元弁１８が全閉されると、加過熱蒸気元弁閉動作検出器５２から加熱蒸気元弁閉止信号が信号切換え器５３に入力され、信号切換え器５３が切換え信号を接点５４に出力する。このとき、接点５４が切換わり、開度設定器５５からの全開信号が水位調節弁４９に入力される。
【００３４】
水位調節弁４９は全開し、それまで水位調節器５１からの信号で適正に保たれていたドレン流量よりも大量のドレンが流出する。すなわち、水位調節弁４９の全開を一時的に遅らせることができ、第２段加熱器１７に流れる加熱蒸気量を減少させることが可能になる。
【００３５】
【発明の効果】
以上説明したように請求項１に係る発明は主蒸気隔離弁の動作検出手段から与えられる隔離弁閉止信号によって第２段加熱器の加熱蒸気元弁を閉止するようにしたので、主蒸気系統内の残留蒸気によりタービングランド蒸気蒸化器で必要とする加熱蒸気を確保することができる。
【００３６】
さらに、請求項２に係る発明は主蒸気隔離弁の動作検出手段から与えられる隔離弁閉止信号によって原子炉給水ポンプ駆動用蒸気タービンのトリップ用ソレノイドを励磁させて原子炉給水ポンプ駆動用蒸気タービンを停止するようにしたので、主蒸気系統内の残留蒸気によりタービングランド蒸気蒸化器で必要とする加熱蒸気を確保することができる。
【００３７】
また、請求項３に係る発明は主蒸気隔離弁の動作検出手段から与えられる隔離弁閉止信号によって空気抽出器の空気抽出器停止回路を動作させて空気抽出器を停止するようにしたので、主蒸気系統内の残留蒸気によりタービングランド蒸気蒸化器で必要とする加熱蒸気を確保することができる。
【００３８】
さらに、請求項４に係る発明は加熱蒸気元弁の上流側の蒸気系統に加熱蒸気遮断弁を設け、主蒸気隔離弁の動作検出手段から与えられる隔離弁閉止信号によって加熱蒸気遮断弁を閉止するようにしたので、主蒸気系統内の残留蒸気によりタービングランド蒸気蒸化器で必要とする加熱蒸気を確保することができる。
【００３９】
また、請求項５に係る発明は加熱蒸気元弁の動作検出手段から与えられる加熱蒸気元弁閉止信号によって第２段加熱器のドレンタンクの水位調節弁への開度信号を水位調節器から全開に保持する開度設定器に切換えるようにしたので、主蒸気系統内の残留蒸気によりタービングランド蒸気蒸化器で必要とする加熱蒸気を確保することができる。
【図面の簡単な説明】
【図１】  本発明によるタービン補機制御装置の実施の形態を示す構成図。
【図２】  本発明の他の実施の形態を示す構成図。
【図３】  本発明の他の実施の形態を示す構成図。
【図４】  本発明の他の実施の形態を示す系統図。
【図５】  本発明の他の実施の形態を示す構成図。
【図６】  本発明の他の実施の形態を示す系統図。
【図７】  本発明の他の実施の形態を示す構成図。
【図８】従来の原子力発電プラントを示す系統図。
【符号の説明】
１  原子炉
２  主蒸気隔離弁
６  湿分分離加熱器
１４  原子炉給水ポンプ駆動用蒸気タービン
１５  空気抽出器
１７  第２段加熱器
１８  加熱蒸気元弁
３５  主蒸気隔離閉動作検出器
３６，３８，４１  ＯＲ回路
４３  加熱蒸気遮断弁
４８  ドレンタンク
４９  水位調節弁
５２  加熱蒸気元弁閉動作検出器
【図１】
0003836537.tif 000002
【図２】
0003836537.tif 000003
【図３】
0003836537.tif 000004
【図４】
0003836537.tif 000005
【図５】
0003836537.tif 000006
【図６】
0003836537.tif 000007
【図７】
0003836537.tif 000008
【図８】
0003836537.tif 000009